(57)【要約】【課題】鉛蓄電池の耐振動性を改善するため、合成樹脂の補強部材で、極板群を電槽に固着する構成が知られているが、使用済みの電池をリサイクル処理する際、電槽と極板群の分離が困難であり、リサイクル性に劣っていた。【解決手段】電槽内壁に対向する袋状セパレータに配置されたセパレータリブと、電槽内壁に配置された電槽リブを、距離Ａ（ｍｍ）で離間する一対の電槽リブの内側に、距離Ｂ（ｍｍ）で離間する一対のセパレータリブを配置するか、距離Ｃ（ｍｍ）で離間する一対の電槽リブの外側に距離Ｄで離間する一対のセパレータリブ配置し、距離Ａ（ｍｍ）と距離Ｂの差分（Ａ−Ｂ）もしくは距離Ｄ（ｍｍ）と距離Ｃ（ｍｍ）の差分（Ｄ−Ｃ）を３．０ｍｍ以下とする。【選択図】図１
2008218065.tif 000002
【特許請求の範囲】
【請求項１】
正負両極の格子体にエキスパンド格子を用い、交互に積層された正極板と負極板との間を、正負いずれか一方の極板を収納する袋状セパレータにより隔離してなる極板群を有し、前記極板群のいずれか一方もしくは両方の端板が前記袋状セパレータに収納され、前記袋状セパレータの外側には上下方向に互いに平行に配置された複数のセパレータリブを有し、前記極板群を収納するセル室の、前記端板に対向する壁面に上下方向に配置された複数の電槽リブを有し、前記電槽リブは、前記袋状セパレータ面に接するか、もしくは前記セパレータリブが前記壁面に接しており、距離Ａ（ｍｍ）で離間する一対の前記電槽リブの内側に、距離Ｂ（ｍｍ）で離間する一対の前記セパレータリブが配置され、前記距離Ａ（ｍｍ）と前記距離Ｂの差分（Ａ−Ｂ）において、（Ａ−Ｂ）≦３．０ｍｍとした鉛蓄電池。
【請求項２】
正負両極の格子体にエキスパンド格子を用い、交互に積層された正極板と負極板との間を、正負いずれか一方の極板を収納する袋状セパレータにより隔離してなる極板群を有し、前記極板群のいずれか一方もしくは両方の端板が前記袋状セパレータに収納され、前記袋状セパレータの外側には上下方向に互いに平行に配置された複数のセパレータリブを有し、前記極板群を収納するセル室の、前記端板に対向する壁面に上下方向に配置された複数の電槽リブを有し、前記電槽リブは、前記袋状セパレータ面に接するか、もしくは前記セパレータリブが前記壁面に接しており、距離Ｃ（ｍｍ）で離間する一対の前記電槽リブの外側に、距離Ｄ（ｍｍ）で離間する一対の前記セパレータリブが配置され、前記距離Ｄ（ｍｍ）と前記距離Ｃ（ｍｍ）の差分（Ｄ−Ｃ）において、（Ｄ−Ｃ）≦３．０（ｍｍ）とした鉛蓄電池。
【発明の詳細な説明】
【技術分野】
【０００１】
本発明は、鉛蓄電池に関するものである。
【背景技術】
【０００２】
自動車用や農機具の鉛蓄電池は、車両の走行、加減速等、振動負荷がかかる環境下で使用されており、このような環境で鉛蓄電池の寿命向上が市場から要求されている。
【０００３】
鉛蓄電池に振動が加わると、振動によって極板が変形し、活物質の脱落や短絡によって短寿命が生じる。特に、極板にエキスパンド格子体を用いた場合は、鋳造格子を用いた場合に比較して、振動時に変形しやすい。
【０００４】
エキスパンド格子体は、鋳造格子に比較して、生産性もよく、薄型化も容易なことから、鉛蓄電池の軽量化や低コスト化に対応しやすいという利点を有しているものの、振動に対する耐久性が鋳造格子に比較して劣るという欠点があった。
【０００５】
例えば特許文献１には、極板群の上部に、絶縁性樹脂を注入し、梁状に固化させることによって、電槽内壁またはセルの中仕切壁と、極板群とを固定することによって鉛蓄電池の耐振動性を高めることが示されている。
【特許文献１】特開平９−１４７９００号公報
【発明の開示】
【発明が解決しようとする課題】
【０００６】
鉛蓄電池は、環境保護の面から、リサイクルが義務付けられている。鉛蓄電池のリサイクルでは、鉛蓄電池を電槽・蓋といった樹脂部品と、鉛を含む極板群及び電解液に分解し、分別する工程が必要であることから、鉛蓄電池にはリサイクルしやすい構造が要求されている。
【０００７】
特許文献１に示された鉛蓄電池は、極めて優れた耐振動性を有しているが、極板群と電槽とが、絶縁性樹脂により強固に固定されているため、鉛蓄電池をリサイクルする際に、電槽と極板群の分離が非常に困難であり、リサイクルに適していないという課題があった。
【０００８】
本発明は、鋳造格子に比較して、振動によって変形しやすいエキスパンド格子を両極に用いた鉛蓄電池において、耐振動性を向上するとともに、リサイクルに適した、分解しやすい構造の鉛蓄電池を提供するものである。
【課題を解決するための手段】
【０００９】
前記の課題を解決するために、本発明の請求項１に係る発明は、正負両極の格子体にエキスパンド格子を用い、交互に積層された正極板と負極板との間を、正負いずれか一方の極板を収納する袋状セパレータにより隔離してなる極板群を有し、前記極板群のいずれか一方もしくは両方の端板が前記袋状セパレータに収納され、前記袋状セパレータの外側には上下方向に互いに平行に配置された複数のセパレータリブを有し、前記極板群を収納するセル室の、前記端板に対向する壁面に上下方向に配置された複数の電槽リブを有し、前記電槽リブは、前記袋状セパレータ面に接するか、もしくは前記セパレータリブが前記壁面に接しており、距離Ａ（ｍｍ）で離間する一対の前記電槽リブの内側に、距離Ｂ（ｍｍ）で離間する一対の前記セパレータリブが配置され、前記距離Ａ（ｍｍ）と前記距離Ｂの差分（Ａ−Ｂ）において、（Ａ−Ｂ）≦３．０ｍｍとした鉛蓄電池を示すものである。
【００１０】
また、本発明の請求項２に係る発明は、正負両極の格子体にエキスパンド格子を用い、互に積層された正極板と負極板との間を、正負いずれか一方の極板を収納する袋状セパレータにより隔離してなる極板群を有し、前記極板群のいずれか一方もしくは両方の端板が前記袋状セパレータに収納され、前記袋状セパレータの外側には上下方向に互いに平行に配置された複数のセパレータリブを有し、前記極板群を収納するセル室の、前記端板に対向する壁面に上下方向に配置された複数の電槽リブを有し、前記電槽リブは、前記袋状セパレータ面に接するか、もしくは前記セパレータリブが前記壁面に接しており、距離Ｃ（ｍｍ）で離間する一対の前記電槽リブの外側に、距離Ｄ（ｍｍ）で離間する一対の前記セパレータリブが配置され、前記距離Ｄ（ｍｍ）と前記距離Ｃ（ｍｍ）の差分（Ｄ−Ｃ）において、（Ｄ−Ｃ）≦３．０（ｍｍ）とした鉛蓄電池を示すものである。
【発明の効果】
【００１１】
本発明の鉛蓄電池は、前記した構成を有し、袋状セパレータの外側に配置されたセパレータリブと、電槽の内壁に配置された電槽リブが、極板群の、特に横方向の揺れを低減することにより、極板の変形、及びこれによる袋状セパレータの破損、さらには、これらによってもたらされる電池の内部短絡を抑制することができる。
【００１２】
また、極板群と電槽との間を固定する部材を用いないため、使用済みの鉛蓄電池をリサイクルする際、電池分解作業を円滑に行うことができる。以上のことにより、本発明は、耐振動性とリサイクル容易性を兼ね備えた鉛蓄電池を提供できるという、顕著な効果を奏する。
【発明を実施するための最良の形態】
【００１３】
以下、本発明による鉛蓄電池の構成を、図面を参照しながら説明する。図１は、本発明の鉛蓄電池１の断面を示す図である。エキスパンド格子（図示せず）を備えた正極板２と、多孔性ポリエチレンシートからなる袋状セパレータ３に、エキスパンド格子（図示せず）を備えた負極板４を収納したものを所定の枚数で組み合わせて極板群５を構成した。
【００１４】
この時、負極板４を収納した袋状セパレータ３は、極板群５の端に位置する。したがって、負極板４を袋状セパレータ３に収納する場合、負極板４の枚数は、正極板２の枚数と等しいか、１枚多い。また、正極板２を袋状セパレータ３に収納する場合、正極板２の枚数は、負極板４の枚数と等しいか、１枚多くする。
【００１５】
極板群５は、電槽６内に設けられたセル室７に収納される。本発明では、袋状セパレータ３に対向するセル室７の壁面７ａに上下方向に延びる電槽リブ８が設けられている。電槽リブ８は、複数本が互いに平行に配置される。また、袋状セパレータ３の外側に上下方向に互いに平行に配置された複数のセパレータリブ３ａを有する。
【００１６】
また、電槽リブ８は、袋状セパレータ３面に接するか（図１に示した状態）、もしくはセパレータリブ３ａが壁面７ａに接しており、電槽リブ８とセパレータリブ３ａによって、極板群５の水平方向かつ壁面７ａに沿ったズレを規制する。
【００１７】
本発明の鉛蓄電池１は、距離Ａ（ｍｍ）で離間する一対の電槽リブ８の内側に、距離Ｂ（ｍｍ）で離間する一対のセパレータリブ３ａが配置されるが、特に、距離Ａ（ｍｍ）と距離Ｂの差分（Ａ−Ｂ）を３．０ｍｍ以下とする。なお、距離Ａは図１に示したように、一対の電槽リブ８の内側間の距離であり、距離Ｂは一対のセパレータリブ３ａの外側間の距離である。
【００１８】
このような構成とすることにより、鉛蓄電池が振動した場合でも、セパレータリブ３ａと電槽リブ８とが干渉することによって、極板群５と壁面７ａとのズレや、壁面７ａに垂直な壁面７ｂと極板群５との衝突、さらにはこれらによって生じていた極板群５の破損を抑制することができる。
【００１９】
なお、本発明では、一対の電槽リブ８と一対のセパレータリブ３ａとが、互いに近接した位置に配置することによって。極板面に平行かつ、水平方向の振動に際して、電槽リブ８がセパレータリブ３ａを介して極板群５のズレを抑制するものである。
【００２０】
図２は、本発明の他の鉛蓄電池１´を示す図である。鉛蓄電池１´は、鉛蓄電池１におおける電槽リブ８とセパレータリブ３ａの配置のみを変更したものであり、それ以外の構成は、鉛蓄電池１とかわるところはない。
【００２１】
したがって、図１に示した鉛蓄電池１では、距離Ａで離間する一対の電槽リブ８内に距離Ｂで離間する一対のセパレータリブ３ａを配置していたが、本発明の鉛蓄電池１´では、図２に示すように、距離Ｃで離間する一対の電槽リブ８の外側に、距離Ｄで離間する一対のセパレータリブ３ａを配置し、かつ距離Ｄと前記距離Ｃ（ｍｍ）の差分（Ｄ−Ｃ）において、（Ｄ−Ｃ）≦３．０（ｍｍ）とする。なお、距離Ｃは、電槽リブ８の外側間の距離であり、距離Ｄは、セパレータリブ３ａの内側間の距離である。
【００２２】
鉛蓄電池１´が振動した場合でも、セパレータリブ３ａと電槽リブ８とが干渉することによって、極板群５と壁面７ａとのズレや、壁面７ａに垂直な壁面７ｂと極板群５との衝突、さらにはこれらによって生じていた極板群５の破損を抑制することができる。
【００２３】
なお、距離Ｄと距離Ｃの差分（Ｄ−Ｃ）と、距離Ａと距離Ｂの差分（Ａ−Ｂ）はいずれも３．０ｍｍ以下とする。これらの差分が３．０ｍｍを境にして３．０ｍｍを越えた場合、鉛蓄電池１，１´に振動を加えた際の極板群５と壁面７ａとのズレ量が急激に増大し、極板群を構成する正極板２や負極板４が変形することによって、内部短絡の発生確率が急激に増大する。したがって、極板群５の振動による破損や内部短絡を抑制するために、差分（Ａ−Ｂ）もしくは差分（Ｄ−Ｃ）の一方が３．０ｍｍ以下となるよう電槽リブ８およびセパレータリブ３ａのリブ間ピッチを設定する。
【００２４】
また、極板群５と壁面７ａとのズレを電槽リブ８とセパレータリブ３ａとの干渉によって抑制するため、電槽リブ８とセパレータリブ３ａとが互いに干渉するよう、いずれのリブの頂点が、対向する袋状セパレータ３面もしくは壁面７ａに接した状態になるよう、極板厚みや、電槽リブ８の高さおよびセパレータリブ３ａの高さを設定することが必要である。
【００２５】
本発明では、特許文献１に示されたように、極板群５と電槽６とを固着する必要なく、極板群５の振動による破損を抑制できる。その結果、従来の鉛蓄電池と同様、電槽６から蓋（図示せず）を除去し、セル間接続部を切断するだけで、容易に電槽６から極板群５を除去することができ、リサイクル性に優れた鉛蓄電池を提供できる。
【実施例】
【００２６】
以下、実施例により、本発明の効果を説明する。本実施例においては、ＪＩＳ  Ｄ５３０１（始動用鉛蓄電池）の８０Ｄ２６形鉛蓄電池（以下、電池）を作成した。本実施例の電池に用いた正極板及び負極板は、両極ともＰｂ−Ｃａ合金のシートから得たエキスパンド格子に、活物質ペーストを充填したものである。これらの極板を用いて、以下に示す電池を作成した。
【００２７】
（電池Ａ１）
電池Ａ１は、図１に示す鉛蓄電池１において、距離１１０ｍｍで離間する一対の電槽リブ８の内側に、距離１０９ｍｍで離間する一対のセパレータリブ３ａを配置し、差分（Ａ−Ｂ）を１．０ｍｍとしたものである。なお、極板群５は、正極板２の７枚と負極板４の８枚で構成される。極板群５の両側の端に袋状セパレータ３が配置される。なお、距離１０９ｍｍで離間するセパレータリブ３ａ間にも、他のセパレータリブ３ａが配置されている。また、電槽リブ８の先端は、袋状セパレータ３のベース面に接している。
【００２８】
（電池Ｂ１）
電池Ｂ１は、電池Ａ１において、１１０ｍｍで離間する一対の電槽リブ８の内側に、距離１０７ｍｍで離間する一対のセパレータリブ３ａを配置し、差分（Ａ−Ｂ）を３．０ｍｍとしたものである。それ以外は、電池Ａ１と全く同じ構成を有する。
【００２９】
（電池Ｃ１）
電池Ｃ１は、電池Ａ１において、１１０ｍｍで離間する一対の電槽リブ８の内側に、距離１０５ｍｍで離間する一対のセパレータリブ３ａを配置し、差分（Ａ−Ｂ）を５．０ｍｍとしたものである。それ以外は、電池Ａ１と全く同じ構成を有する。
【００３０】
（電池Ｄ１）
電池Ｄ１は、電池Ａ１において、１１０ｍｍで離間する一対の電槽リブ８の内側に、距離１０３ｍｍで離間する一対のセパレータリブ３ａを配置し、差分（Ａ−Ｂ）を７．０ｍｍとしたものである。それ以外は、電池Ａ１と全く同じ構成を有する。
【００３１】
（電池Ａ２）
電池Ａ２は、図１に示す鉛蓄電池１において、距離１１０ｍｍで離間する一対の電槽リブ８の内側に、距離１０９ｍｍで離間する一対のセパレータリブ３ａを配置し、差分（Ａ−Ｂ）を１．０ｍｍとしたものである。なお、極板群５は、正極板２の７枚と負極板４の８枚で構成される。極板群５の両側の端に袋状セパレータ３が配置される。なお、距離１０９ｍｍで離間するセパレータリブ３ａ間にも他のセパレータリブ３ａが配置されている。但し、図１とは異なり、電槽リブ８の先端は、袋状セパレータ３のベース面に接していない。
【００３２】
（電池Ｂ２）
電池Ｂ２は、電池Ａ２において、１１０ｍｍで離間する一対の電槽リブ８の内側に、距離１０７ｍｍで離間する一対のセパレータリブ３ａを配置し、差分（Ａ−Ｂ）を３．０ｍｍとしたものである。それ以外は、電池Ａ２と全く同じ構成を有する。
【００３３】
（電池Ｃ２）
電池Ｃ２は、電池Ａ２において、１１０ｍｍで離間する一対の電槽リブ８の内側に、距離１０５ｍｍで離間する一対のセパレータリブ３ａを配置し、差分（Ａ−Ｂ）を５．０ｍｍとしたものである。それ以外は、電池Ａ２と全く同じ構成を有する。
【００３４】
（電池Ｄ２）
電池Ｄ２は、電池Ａ２において、１１０ｍｍで離間する一対の電槽リブ８の内側に、距離１０３ｍｍで離間する一対のセパレータリブ３ａを配置し、差分（Ａ−Ｂ）を７．０ｍｍとしたものである。それ以外は、電池Ａ２と全く同じ構成を有する。
【００３５】
（電池Ｅ１）
電池Ｅ１は、図２に示す鉛蓄電池１´において、距離１１０ｍｍで離間する一対の電槽リブ８の外側に、距離１１１ｍｍで離間する一対のセパレータリブ３ａを配置し、差分（Ｄ−Ｃ）を１．０ｍｍとしたものである。なお、極板群５は、正極板２の７枚と負極板４の８枚で構成される。極板群５の両側の端に袋状セパレータ３が配置される。なお、距離１１１ｍｍで離間するセパレータリブ３ａ間にもセパレータリブ３ａが配置されている。また、電槽リブ８の先端は、袋状セパレータ３のベース面に接している。
【００３６】
（電池Ｆ１）
電池Ｆ１は、電池Ｅ１において、１１０ｍｍで離間する一対の電槽リブ８の外側に、距離１１３ｍｍで離間する一対のセパレータリブ３ａを配置し、差分（Ｄ−Ｃ）を３．０ｍｍとしたものである。それ以外は、電池Ｅ１と全く同じ構成を有する。
【００３７】
（電池Ｇ１）
電池Ｇ１は、電池Ｅ１において、１１０ｍｍで離間する一対の電槽リブ８の外側に、距離１１５ｍｍで離間する一対のセパレータリブ３ａを配置し、差分（Ｄ−Ｃ）を５．０ｍｍとしたものである。それ以外は、電池Ｅ１と全く同じ構成を有する。
【００３８】
（電池Ｈ１）
電池Ｈ１は、電池Ｅ１において、１１０ｍｍで離間する一対の電槽リブ８の外側に、距離１１７ｍｍで離間する一対のセパレータリブ３ａを配置し、差分（Ｄ−Ｃ）を７．０ｍｍとしたものである。それ以外は、電池Ｅ１と全く同じ構成を有する。
【００３９】
（電池Ｅ２）
電池Ｅ２は、電池Ｅ１において、電槽リブ８の先端は、袋状セパレータ３のベース面に接していない構成としたものである。
【００４０】
（電池Ｆ２）
電池Ｆ２は、電池Ｅ２において、１１０ｍｍで離間する一対の電槽リブ８の外側に、距離１１３ｍｍで離間する一対のセパレータリブ３ａを配置し、差分（Ｄ−Ｃ）を３．０ｍｍとしたものである。それ以外は、電池Ｅ２と全く同じ構成を有する。
【００４１】
（電池Ｇ２）
電池Ｇ２は、電池Ｅ２において、１１０ｍｍで離間する一対の電槽リブ８の外側に、距離１１５ｍｍで離間する一対のセパレータリブ３ａを配置し、差分（Ｄ−Ｃ）を５．０ｍｍとしたものである。それ以外は、電池Ｅ２と全く同じ構成を有する。
【００４２】
（電池Ｈ２）
電池Ｈ２は、電池Ｅ２において、１１０ｍｍで離間する一対の電槽リブ８の外側に、距離１１７ｍｍで離間する一対のセパレータリブ３ａを配置し、差分（Ｄ−Ｃ）を７．０ｍｍとしたものである。それ以外は、電池Ｅ２と全く同じ構成を有する。
【００４３】
（電池Ｊ）
電池Ｊは、電池Ａ１において、正極板２と負極板４の枚数を同数としたものである。この場合、極板群５の一方の端板が正極板２となり、もう一方が袋状セパレータ３に収納された負極板４となる。
【００４４】
（電池Ｋ）
電池Ｋは、電池Ｂ１において、正極板２と負極板４の枚数を同数としたものである。この場合、極板群５の一方の端板が正極板となり、もう一方が袋状セパレータ３に収納された負極板４となる。
【００４５】
（電池Ｌ）
電池Ｌは、電池Ｃ１において、正極板２と負極板４の枚数を同数としたものである。この場合、極板群５の一方の端板が正極板２となり、もう一方が袋状セパレータ３に収納された負極板４となる。
【００４６】
（電池Ｍ）
電池Ｍは、電池Ｅ１において、正極板２と負極板４の枚数を同数としたものである。この場合、極板群５の一方の端板が正極板２となり、もう一方が袋状セパレータ３に収納された負極板４となる。
【００４７】
（電池Ｎ）
電池Ｎは、電池Ｆ１において、正極板２と負極板４の枚数を同数としたものである。この場合、極板群５の一方の端板が正極板２となり、もう一方が袋状セパレータ３に収納された負極板４となる。
【００４８】
（電池Ｏ）
電池Ｏは、電池Ｇ１において、正極板２と負極板４の枚数を同数としたものである。この場合、極板群５の一方の端板が正極板２となり、もう一方が袋状セパレータ３に収納された負極板４となる。
【００４９】
上記の各電池の構成を示す一覧を表１に示す。
【００５０】
【表１】
2008218065.tif 000003
【００５１】
さらに、表１に示した電池に加えて、以下に示す電池Ｐ〜Ｕを作成した。
【００５２】
（電池Ｐ）
表１に示した各電池と同一の正極板２の７枚と、同一の負極板４の８枚とを用い、正極板２を袋状セパレータ（図示せず）に収納した電池である。袋状セパレータ外側にセパレータリブは形成されていない。
【００５３】
（電池Ｑ）
電池Ｑは、電池Ｂ２において、図３に示すように、極板群９の両肩をＰＰ樹脂の固定部材１２で、電槽１０の壁面１１に固定したものである。
【００５４】
（電池Ｒ）
電池Ｒは、電池Ｄ１において、図３に示すように、極板群９の両肩をＰＰ樹脂の固定部材１２で、電槽１０の壁面１１に固定したものである。
【００５５】
（電池Ｓ）
電池Ｓは、電池Ｆ２において、図３に示すように、極板群９の両肩をＰＰ樹脂の固定部材１２で、電槽１０の壁面１１に固定したものである。
【００５６】
（電池Ｔ）
電池Ｔは、電池Ｈ１において、図３に示すように、極板群９の両肩をＰＰ樹脂の固定部材１２で、電槽１０の壁面１１に固定したものである。
【００５７】
（電池Ｕ）
電池Ｕは、電池Ｐにおいて、図３に示すように、極板群９の両肩をＰＰ樹脂の固定部材１２で、電槽１０の壁面１１に固定したものである。
【００５８】
上記の電池Ｐ〜Ｕの構成を示す一覧を表２に示す。
【００５９】
【表２】
2008218065.tif 000004
【００６０】
表１及び表２に示した各電池を、満充電状態とし、極板面に平行かつ、水平方向に１．０Ｇ〜４．０Ｇの加速度で２時間の振動を加えた後、容量試験を行い、振動を加える前後での容量変化を確認することにより、各電池の耐振動性を確認した。
【００６１】
なお、振動後の容量が振動前の容量の９０％以上である場合は、耐振動性を○と評価し、９０％未満〜７０％以上を△と評価し、７０％未満を×と評価した。耐振動性試験の結果を表３に示す。
【００６２】
【表３】
2008218065.tif 000005
【００６３】
表３に示した結果から、本発明例の電池Ａ１、Ｂ１、Ｅ１、Ｆ１、Ｊ、Ｋ、Ｍ、Ｎは、加速度３．５Ｇ〜４．０Ｇまでの振動に対しても容量の低下はなく、優れた耐振動特性を有していた。なお、表３において、試験後の各電池について分解調査を行ったところ、内部短絡は見られなかった。一方、×と評価された電池は極板が変形したり、袋状セパレータの破損等により、内部短絡が発生し、電池容量低下の原因になっていた。
【００６４】
一方、極板群の両肩部をＰＰ樹脂で電槽内壁に固定した電池Ｐ〜Ｑは、４．０Ｇまでの振動によっても容量低下は認められなかった。極板群構成枚数を正極板７枚と負極板８枚とした本発明例の電池Ａ１、Ｂ１は、これら電池Ｐ〜Ｑと同等の耐振動性能を有している。
【００６５】
本発明例の電池では、電池Ｑ〜Ｕのような、ＰＰ樹脂の固定部材１２を有さないことから、電池と極板群の分離が極めて容易であり、リサイクル性に優れている。
【００６６】
距離Ａで離間する一対の電槽リブ８内に距離Ｂで離間する一対のセパレータリブ３ａを配置した電池も、距離Ｃで離間する一対の電槽リブ８外に距離Ｄで離間する一対のセパレータリブ３ａを配置した電池も、差分（Ａ−Ｂ）もしくは差分（Ｄ−Ｃ）を３．０ｍｍ及び１．０ｍｍとすることにより、これらの値を５．０ｍｍ及び７．０ｍｍとした電池に比較して、顕著に耐振動性が向上していることがわかる。
【００６７】
なお、差分（Ａ−Ｂ）もしくは差分（Ｄ−Ｃ）を５．０ｍｍ及び７．０ｍｍとした電池Ｃ１、Ｄ１、Ｇ１、Ｈ１は、正極板２を袋状セパレータに収納した電池Ｐとほぼ同等の耐振動性しか有しておらず、電池Ｐでは、セパレータリブと電槽内壁とは接していないことからすると、セパレータリブと電槽リブによる耐振動性改善効果が全く得られていないことがわかる。
【００６８】
本発明例の電池において、極板群５の両方の端板が袋状セパレータ３に収納された負極板４である電池Ａ１、Ｂ１、Ｅ１、Ｆ１は、片方のみの端板が袋状セパレータ３に収納された負極板４である電池Ｊ、Ｋ、Ｍ、Ｎに比較して、より優れた耐振動性を有していることがわかる。これは、極板群５の両側で、極板群５が電槽リブ８とセパレータリブ３ａにより振動を抑制したためと考えられる。
【００６９】
本発明例の電池において、一対の電槽リブ８内に一対のセパレータリブ３ａを配置した電池Ａ１、Ｂ１と、一対の電槽リブ８外に一対のセパレータリブ３ａを配置した電池Ｅ１、Ｆ１とは耐振動性に差が見られなかった。
【００７０】
一方、距離Ａで離間する一対の電槽リブ８内に距離Ｂで離間する一対のセパレータリブ３ａを配置した電池も、距離Ｃで離間する一対の電槽リブ８外に距離Ｄで離間する一対のセパレータリブ３ａを配置した電池も、差分（Ａ−Ｂ）もしくは差分（Ｄ−Ｃ）を３．０ｍｍ及び１．０ｍｍとした場合であっても、電槽リブ８が袋状セパレータ３のベース部に接していない電池Ａ２、Ｂ２、Ｅ２、Ｆ２は、本発明例の電池に比較して耐振動性に劣っていた。したがって、電槽リブ８を袋状セパレータ３のベース部に接した構成、すなわち、極板群５が振動した際に、電槽リブ８とセパレータリブ３ａとが確実に干渉しあう構成とすることが必要である。そのために、電槽リブ８を袋状セパレータ３のベース部に接する構成としてもよく、セパレータリブ３ａが電槽６の内壁７ａに接する構成としてもよく、これらの構成差によって電池の耐振動性に顕著な差は生じない。
【００７１】
以上、説明したように、本発明によれば、耐振動性に顕著に優れた鉛蓄電池を得ることができる。また、耐振動性を高めるために、極板群と電槽とを固着することがないため、電槽から極板群を容易に分離でき、リサイクル性にも優れている。
【産業上の利用可能性】
【００７２】
本発明は、鉛蓄電池の耐振動性とリサイクル性を顕著に改善するものであり、自動車用鉛蓄電池をはじめとする、様々な用途の鉛蓄電池に適用することができる。
【図面の簡単な説明】
【００７３】
【図１】本発明の鉛蓄電池の断面を示す図
【図２】本発明の他の鉛蓄電池の断面を示す図
【図３】極板群の両肩を固定した電池を示す図
【符号の説明】
【００７４】
１、１´  鉛蓄電池
２    正極板
３    袋状セパレータ
３ａ  セパレータリブ
４    負極板
５    極板群
６    電槽
７    セル室
７ａ  壁面
７ｂ  壁面
８    電槽リブ
９    極板群
１０  電槽
１１  壁面
１２  固定部材
【図１】
2008218065.tif 000006
【図２】
2008218065.tif 000007
【図３】
2008218065.tif 000008